(57)【要約】【課題】  広告情報を含んだゲームソフトがサイトから確実にダウンロードされ、しかも広告主が望む対象に絞ってダウンロードが行なわれ、効率よく広告の内容が伝達される広告システムを提供すること。【解決手段】  広告情報を含んだゲームソフトを、インターネット網に接続されたゲームサイトに保管し、かかるゲームサイトのアドレスを名刺に記載し、配布した名刺からゲームサイトにアクセスし、携帯端末などでゲームソフトを実行（プレイ）可能とした。  これにより携帯端末などからゲームソフトを実行すると、ゲーム実行中にゲームソフトに含まれた広告情報が表示され、所望の広告内容がゲーム実行者に伝達される。【選択図】図１
2007033586.tif 000002
【特許請求の範囲】
【請求項１】
広告情報を含むゲームソフトを保管したインターネット上のゲームサイトと、
前記ゲームサイトの住所を記載した名刺と、
前記名刺に記載された住所を読み取る読取手段、該読取手段が読み取った住所のゲームサイトに接続し、該ゲームサイトから前記広告情報を含むゲームソフトをダウンロードするインターネット通信手段、前記ゲームサイトからダウンロードされたゲームソフトを実行するゲーム実行手段とを具えた携帯端末とからなる広告システム。
【請求項２】
ゲームソフトは、該ゲームの実行に伴って該ゲームを実行する携帯端末の表示画面内に表示される該ゲームのキャラクター、あるいはゲーム実行中に表れる背景の全部、あるいは一部が広告主に関連した広告内容とした請求項１に記載の広告システム。
【請求項３】
ゲームソフトは、ゲーム実行中に該ゲームの実行を中断しゲームを再開させるまでの間に該ゲームを実行する携帯端末の表示画面に表示する広告情報を具えている請求項１または２に記載の広告システム。
【請求項４】
ゲームソフトは、実行中のゲームが所定の段階に到ると表示を広告に切り替える広告表示段階と、広告サイトにリンクするリンク情報とを具え、
携帯端末は、ゲーム実行中に、実行されているゲーム内容が予め定められた前記広告表示段階に到ると、該ゲームを実行する携帯端末のインターネット通信手段を作動させて前記広告サイトに接続し該広告サイトから広告情報をダウンロードし、ダウンロードした該広告情報を、該ゲームソフトの実行を中断しゲームを再開させるまでの間該ゲームを実行する携帯端末の表示画面に表示する請求項１または２に記載の広告システム。
【請求項５】
ゲームサイトの住所をコード化して名刺に記載し、
携帯端末は、前記名刺に記載されたバーコード情報を読み取る読取手段と、該読取手段が読み取ったバーコード情報を解読する解読手段とを具えた請求項１〜４のいずれか１項に記載の広告システム。
【発明の詳細な説明】
【技術分野】
【０００１】
本発明は、広告情報を組み入れたゲームソフトと、そのゲームソフトのサイトのアドレスを記載した名刺とからなる広告システムに関する。
【背景技術】
【０００２】
従来、広告情報を組み込んだゲームソフトをインターネット上に公開し、利用者にゲームソフトをダウンロードさせ、ゲームを実行（プレイ）している途中に所定の広告を表示装置に表示させて、ゲーム実行者に広告内容を伝達させる方法が知られている。
【０００３】
また名刺に自社のホームページ（ウェブページ）の住所（アドレス）を記載し、名刺に記載されたアドレスを用いて自社のホームページにアクセスさせ、自社の宣伝広告をすることも知られている。
【０００４】
また、名刺にくじ番号を付し、インターネット上で当籤番号を発表して、当籤したものに賞金を支払う発明が知られている。
【０００５】
【特許文献１】特開２００１−３１５４７０号公報
【発明の開示】
【発明が解決しようとする課題】
【０００６】
しかしながら、広告を組み込んだゲームソフトを単にインターネット上に公開させているだけでは、広告内容を伝達させたいと広告主が希望する対象にアドレスがなかなか知られず、十分な広告効果が得られなかった。
【０００７】
また自社のホームページアドレスを記載した名刺を配布しても、ホームページには、その会社の紹介やその会社が扱う商品を紹介することだけの場合が多く、商品などに興味を持たない人はホームページにアクセスすることが少なかった。またアドレスを逐一キーボードから入力しなければならずアクセスに手間がかかっていた。
【０００８】
また名刺にくじ番号を付した例では、当籤番号を表示するときのみホームページにアクセスして番号を確認すればよく、それ以外のときにアクセスしてホームページにある広告を見ることはあまりなかった。
【０００９】
本発明は、広告情報を含むウェブページ（ゲームソフト）がウェブページを保管しているサイトから確実にダウンロードされ、しかも広告主が望む対象に絞ってダウンロードが行なわれ、効率よく広告内容が所定の対象に伝達される広告システムを提供することを目的とする。
【課題を解決するための手段】
【００１０】
本発明は上記課題を解決するため、広告システムを次のように構成した。
【００１１】
広告情報を含んだゲームソフトを、インターネット網に接続されたゲームサイトに保管し、かかるゲームサイトの住所（アドレス）を名刺に記載し、配布した名刺のアドレスからゲームサイトにアクセスし、携帯端末などでゲームソフトを実行（プレイ）可能とした。携帯端末などでダウンロードしたゲームソフトを実行すると、ゲーム実行中にゲームソフトに含まれた広告情報が携帯端末の表示装置に表示され、所望の広告内容がゲーム実行者に伝達される。
【００１２】
ゲームサイトのアドレスは、直接ＵＲＬを名刺に記載して文字入力してもよいが、アドレスを２次元バーコード（例えば、ＱＲコード：登録商標）としたり、写真などの画像にアドレス情報を組み込むなどによりコード化し、携帯端末で名刺のバーコードや画像を読み取るだけでゲームサイトにアクセスできるようにするのが好ましい。携帯端末は少なくとも、バーコード、もしくは画像に組み込まれた情報を解読（デコード）でき、インターネット網に接続でき、かつゲームソフトが実行（プレイ）できる機能を有する。携帯端末としては、カメラ付き携帯電話機が好ましい。
【００１３】
更に、名刺等にＩＣチップを貼り付け、あるいは埋め込み、名刺に取り付けたＩＣチップに携帯端末を接触させ、もしくは無線通信による非接触でＩＣチップの情報を携帯端末で読み取るようにしてもよい。読み取った情報からゲームサイトにアクセスする。また、情報の読み取りは磁気式を用いてもよい。
【００１４】
ゲームソフトは特定せず、任意のソフトでよい。ゲームソフトが広告情報を含むとは、ゲームソフトを改変、あるいは作成してゲーム自体に広告情報が組み入れてあることでも、実行中のゲームが中断し、中断している間に広告情報（広告ページ）が携帯端末の表示装置に表示するように組み入れてあることのいずれでもよい。
【００１５】
ゲームソフトを改変、作成してゲーム自体に広告内容を組み入れるとは、例えばゲームの主人公（他の登場人物、物を含めて。以下同じ）を広告主のキャラクターに代える、もしくはゲームの主人公が頻繁に広告主の製品を取得したり、その製品を身に着けていたり、広告主の製品が飲食物であれば飲食するなどする。しかも、それらによりゲームが優位に展開するとよい。更にゲーム進行中の背景に広告主の製品名が現れたり、広告主の扱う商品がゲーム中に、ゲームの重要アイテムとして登場させるなどである。
【００１６】
また、ゲームが完了したときには、ゲーム完了を称える表示とともに広告主のキャラクターが広告主の商品を大いに利用したりするなど特別な表示を行なう。
【００１７】
ゲーム実行中にゲームを中断させ、ゲームを再開させるまでの間に広告内容を表示させるとは、例えば、実行されているゲーム内容が所定の段階（広告表示段階）に到ると広告内容が表示されるように、ゲームソフトの中に広告内容を組み入れることである。ゲームの実行中に広告内容を携帯端末の表示画面に表示する場合は、一定時間ごとにゲームを中断して広告内容を表示するより、実行しているゲームの進行内容を考慮して適宜中断し広告内容を表示するのが好ましい。
【００１８】
これにより、ゲーム実行中に広告表示段階に達するとゲーム実行中に広告情報が表示装置に表示される。殊にゲームを完了したときなどは、実行者の気分が高揚しているので、特別の広告情報を表示して印象つけるようにする。
【００１９】
また、ゲームを実行している途中に広告主の広告サイトにリンクするリンクボタンを画面に表示させたり、広告主の広告サイトに携帯端末がリンクして広告ページをダウンロードしてその広告情報を携帯端末の表示装置に表示させてもよい。
【００２０】
この場合はゲームソフトを各広告主に共通して、広告サイトを広告主毎に作成、保管すればよい。更にゲームサーバーに複数のゲームソフトを保管し、複数のゲームソフトから一つのゲームソフトを携帯端末から選択してダウンロードできるようにしてもよい。
【００２１】
広告システムを製作する方法、及び実際のシステムの作動手順等について説明する。
【００２２】
本発明にかかわる業者（以下、「広告代理店」という。）は、複数のゲームソフトと、インターネット網に接続されるゲームサーバー、あるいはゲームサイトが保管できるインターネット上の保管場所と、広告情報をゲームソフトに含ませる広告制作手段と、２次元バーコードを名刺に付したり、２次元バーコードを付した名刺を作成する名刺作成手段などを有している。尚、これらは広告代理店が直接有さず、他に依頼しこれらを作成してもよい。
【００２３】
まず広告主は、広告代理店に広告内容を含むゲームソフトの作成と、ゲームソフトのサイトのアドレスを付した名刺の作成を依頼する。ゲームソフトは、新たにゲームソフトを作成する、既存のゲームソフトを改変する、広告内容をゲームソフトの中に挿入させるものかを選択する。
【００２４】
ゲームソフトと広告の内容が決定したら、広告代理店は、ゲームサーバー、あるいはインターネット上のゲームサイトに、広告情報を有するゲームソフトを保管し、そのゲームサイトのアドレスを付した名刺を所定枚数作成する。作成した名刺は、依頼者である広告主に渡し、またゲームサイト（ゲームサーバー）の管理、運営を行なう。そしてこれらの対価として広告代金を受け取る。
【００２５】
広告主は、バーコードを付した名刺を、「名刺に記載されているバーコードはゲームサイトのアドレスで、このアドレスにアクセスするとゲームができます。」などと言って顧客に渡す。名刺を受け取った顧客は、自己の携帯電話機等でバーコードを読み取らせ、ゲームサイトからゲームソフトをダウンロードする。
【００２６】
ダウンロードされたゲームソフトは、携帯電話機内の記憶手段に記憶され、実行ボタンが表示画面内に配置されていつでも実行（プレイ）可能となる。
【００２７】
携帯電話機の表示画面で実行ボタンをオン操作すると、ダウンロードされているゲームソフトが実行される。
【００２８】
ゲームソフトが実行されると、ゲーム内に登場人物（物も含む。）や背景として、あるいはゲームの実行中にゲームが中断して広告情報がゲームを実行している携帯電話機の表示画面に表示される。
【００２９】
ゲームが完了したり、ゲームを終了させたときは、携帯電話機にゲームソフトが記憶保存される。
【発明の効果】
【００３０】
名刺にゲームサイトのアドレスを記載したので、広告情報を有するゲームサイトのアドレスが、広告主が望む対象に効率よく広まる。ゲームサイトには、名刺を受け取った人がアクセスするので、アクセスする対象が絞られ効率のよい広告が実施でき、しかもゲームサイトを保管しているサーバーの負担が小さくてすむ。
【００３１】
アドレスをコード化したので、ゲームサイトへのアクセスが容易で、カメラ付き携帯電話機など読取機構の有する携帯端末で容易にゲームが実行できる。
【００３２】
ゲームを実行している最中に確実に広告情報をゲーム実行者に伝達でき、しかもゲームを実行している最中に広告が携帯端末の表示画面に表示されるので、広告に注目する度合いが高くなり、大きい広告効果が得られる。
【００３３】
ゲームの内容と広告商品とが関連付けられたり、ゲーム中に広告が表示されるので印象深い広告を提供できる。
【００３４】
ゲームサイトなどの管理、運営費やゲームソフトの料金などは、広告主側が負担するので、実行者はゲームソフトを無料で使用できる。
【発明を実施するための最良の形態】
【００３５】
図１に本願発明の広告システム２の全体構成を示す。
【００３６】
広告システム２は、図１に示すように２次元バーコード３が付された名刺４と、携帯端末としての携帯電話機６と、インターネット網５０に接続されたゲームサーバー８などから構成されている。
【００３７】
名刺４には、図２に示すように本人の住所、氏名、電話番号など通常の名刺に記載されている内容とともに、２次元バーコード３が記載されている。２次元バーコード３は例えばＱＲコード（登録商標）であり、２次元バーコード３にはゲームサイトのインターネット上の住所（アドレス）やゲームサイトからゲームソフトをダウンロードさせる旨の指示などがコード化してある。
【００３８】
携帯電話機６は、通常の電話機能（図示せず。）に加え、図３に示すように画像読取手段としてのカメラ１２、カメラ１２が読み取った２次元バーコード３を解読（デコード）する解読手段１４、液晶などからなる表示画面１６、ゲームソフトを処理するゲーム処理手段１８、インターネットに接続するインターネット接続手段２０、これらを制御する制御手段２２などを具えている。
【００３９】
携帯電話機６でゲームを実行するときは、携帯電話機６に設けられている通話用の数字ボタンやカーソルキーなどがゲーム実行時の各種入力キーとして作用する。
【００４０】
ゲームサーバー８はインターネット網５０に接続し、図４に示すように複数のゲームサイト９ａ，９ｂ，９ｃ…が保存してある。各ゲームサイト９は、広告主毎に作成したゲームソフトを保管している。例えば、広告主Ａに依頼されて作成したゲームソフトａはゲームサイト９ａに保管し、広告主Ｂに依頼されて作成したゲームソフトｂはゲームサイト９ｂに保管するなど、広告主ごとにゲームサイト９が設けてある。
【００４１】
ゲームサイト９に保管するゲームソフトは、ゲームソフトに組み入れる広告の内容を広告主が広告代理店に説明し、基本的には広告代理店側で希望の広告内容を希望通りにゲームソフトに組み入れて作成する。
【００４２】
各名刺４には、広告主のゲームソフトを保管したゲームサイト９のアドレスが２次元バーコード３として付される。
【００４３】
名刺４は、広告主から顧客などに渡される。顧客は自分の携帯電話機６のカメラ１２を用いて２次元バーコード３を映し出すと、解読手段１４が２次元バーコード３に記載してある内容を解読し、インターネット接続手段２０に２次元バーコード３の内容、すなわちゲームサイト９のアドレスとゲームサイト９のゲームソフトをダウンロードする旨の指示を送る。インターネット接続手段２０は、携帯電話機６の通信手段を用いて２次元バーコード３の内容をインターネット網５０に送り、ゲームサーバー８に接続する。インターネット網５０に直接接続できない携帯電話機６では、中間の接続サイトを通してインターネット網５０に接続する。
【００４４】
ゲームサーバー８は、ゲームサーバー８に保存されているゲームサイト９の中から所定のゲームサイト９を呼び出し、ゲームサイト９に保管されているゲームソフトを携帯電話機６に送信する。
【００４５】
携帯電話機６では、広告情報を含むゲームソフトがゲームサイト９からダウンロードされてきたら、記憶手段１３にゲームソフトを記憶し、表示装置１６にゲームソフトを実行（プレイ)させる実行ボタンを表示し、実行ボタンが入力キーを用いてオン操作されるのを待つ。
【００４６】
実行ボタンが押される（オン操作される）と、携帯電話機６は記憶手段１３からゲームソフトを呼び出し、ゲーム処理手段１８でゲームを実行させる。すなわち表示画面１６にゲーム画面を表示し、入力キーからの入力に従いゲームを実行（プレイ）させる。
【００４７】
ゲームソフトは広告内容を含んでいるので、ゲームを実行すると実行しているゲームの登場人物が広告主の商品に関連するものであったり、背景に広告内容が含まれていたり、あるいはゲームが中断して適宜広告情報が表示画面１６に表示されるので、ゲーム実行者に広告内容が伝達される。
【００４８】
したがって、名刺４は他の名刺と差別化が図れ、名刺４の利用価値が上昇する。名刺４を渡す関係にある人達が名刺４のコード情報に基づいてゲームサイト９にアクセスするので、対象を絞った広告宣伝ができ、かつゲームサイト９を保存するゲームサーバー８のアクセス負担等を軽くできる。広告内容は、ゲームを実行している最中に表示されるので、ゲーム実行者に必ず伝達でき、しかもゲームに集中した状態、もしくはリラックスした状態で広告情報を見るので広告の内容を認識し、記憶する割合を高くできる。
【００４９】
携帯電話機６にダウンロードして記憶させたゲームソフトは、携帯電話機６で何度でも繰り返し実行できるので、広告の内容を反復して伝達できる。
【００５０】
次に広告システムの他の例を説明する。
【００５１】
これは、ゲームソフトが、ゲームの所定の段階で所定の広告サイト１１にリンクし、リンクした広告サイト１１からダウンロードした広告ページを、実行しているゲームを中断させて表示する指示を含んでいる。
【００５２】
広告サイト１１は広告ページを保存し、図５に示すようにゲームサーバー８にゲームサイト９とともに保管してある。広告サイト１１は、携帯電話機６からの要求があるとゲームサーバー８のインターネット通信手段（図示せず。）を用いて広告ページを携帯電話機６に送信する。
【００５３】
携帯電話機６は、ゲーム実行中に広告サイト１１にリンクする指示があると、インターネット接続手段２０が、携帯電話機６の通信手段を用いてゲームサーバー８に接続し、所定の広告サイト１１、すなわち広告主Ａの広告サイト１１ａから広告ページをダウンロードする。ダウンロードされた広告ページは、ゲームを中断している表示画面１６に表示される。
【００５４】
このようにすると、広告サイト１１を各広告主ごとに作成、保存することで、ゲームソフトを共通にして広告主ごとのゲームソフトが作成でき、かつ広告サイト１１に保存してある広告ページを変更することでゲーム中に表示する広告情報を、ゲームソフトを改変することなく容易に変更できる。したがって、容易に広告が製作でき、しかも広告システムを設定した後でも広告内容のみを任意に変更できる。
【００５５】
尚上記各例では、ゲームソフトに広告情報を含めるとしたが、ゲームソフトに限らず、他のアプリケーションに広告情報を含めてもよい。
【００５６】
また本発明は、名刺にかぎらず、カタログなど他の伝達媒体や、販売促進グッズ等に広告情報を有するウェブサイトのアドレスを記載してもよい。
【図面の簡単な説明】
【００５７】
【図１】本発明にかかる広告システムの概略構成を示す図である。
【図２】名刺を示す図である。
【図３】携帯電話機を示す図である。
【図４】ゲームサーバーを示す図である。
【図５】ゲームサーバーの他の例を示す図である。
【符号の説明】
【００５８】
２    広告システム
３    ２次元バーコード
４    名刺
６    携帯電話機
８    ゲームサーバー
９    ゲームサイト
１１  広告サイト
１２  カメラ
１３  記憶手段
１４  解読手段
１６  表示画面
１８  ゲーム処理手段
２０  インターネット接続手段
２２  制御手段
【図１】
2007033586.tif 000003
【図２】
2007033586.tif 000004
【図３】
2007033586.tif 000005
【図４】
2007033586.tif 000006
【図５】
2007033586.tif 000007